Podtech/llm-jp-corpus-v4-ja_patent huggingface dataset:
(57)【要約】      （修正有）【課題】撮影の位置決め等のため検診台の天板を移動させるが、このとき点滴台等天板側面のアクセサリレールに取り付けられた器具がモニタやモニタ懸垂器に衝突すること、またそれらの器具がモニタの前面に位置してモニタ画像の観察の邪魔になることを防止する。【解決手段】天板７の両側面のアクセサリレール５に取り付けられていた、例えば点滴台１等の検査時に必要な器具を、天井から移動可能に懸垂されモニタ２を保持するモニタ懸垂器３のハンドル４に点滴台保持金具１０および固定ネジ９により取り付ける。【選択図】図１
0003129823.tif 000002
【実用新案登録請求の範囲】
【請求項１】
Ｘ線画像を観察するためのモニタを天井から懸垂して保持するモニタ懸垂器を有するＸ線透視撮影装置において、検査に必要な器具を保持する保持手段を前記モニタ懸垂器に設けたことを特徴とするＸ線透視撮影装置。
【請求項２】
前記モニタ懸垂器はその側面にパイプ状のハンドルを備え、前記保持手段は前記ハンドルが内通可能な孔を有し、前記ハンドルに沿って移動可能な保持具と、前記保持具を前記ハンドルに対して着脱可能に固定する固定具により構成されることを特徴とする請求項１記載のＸ線透視撮影装置。
【考案の詳細な説明】
【技術分野】
【０００１】
本考案はＸ線透視撮影装置に関する。
【背景技術】
【０００２】
Ｘ線検査のうち特に循環器検査に用いられるＸ線透視撮影装置の構成例を図３に示す。天井から懸垂されたＣアーム保持装置２３の両端には、それぞれＸ線管２１およびＸ線検出器２２が互いに対向して取り付けられており、その間に検診台８の天板７上に載置された被検者６が配置される。天板７は検診台８の上面で移動可能に保持されており、術者２４が天板７を動かして被検者６の位置決めを行った後、フットスイッチ２５を踏むと、Ｘ線高電圧装置（図示しない）が作動してＸ線管２１からＸ線が照射され、例えばフラットパネル型Ｘ線検出器により構成されるＸ線検出器２２により被検者６のＸ線画像が撮影され、画像処理装置（図示しない）により適当な画像処理が行われた後、天井から移動可能に懸垂されたモニタ懸垂器３に搭載されたモニタ２に表示される。モニタ２は室内の床面の有効利用のために天井から懸垂されることが多い（例えば特許文献１参照）。
【０００３】
そして図４に示すように、被検者６を載置する検診台８の天板７の両側面には、検査時に必要な器具を取り付けるためのアクセサリレール５が設けられており、例えば点滴台１が取り付けられる。一方Ｘ線画像を表示するモニタ２を搭載し、天井から懸垂されたモニタ懸垂器３は術者（図示しない）がハンドル４を握って操作することにより任意の位置に移動可能に構成されており、検診台８の近傍の術者が表示画像を観察しやすい位置に配置される。
【特許文献１】特開２００４−８１５６９号公報
【考案の開示】
【考案が解決しようとする課題】
【０００４】
Ｘ線検査を行うとき、術者は撮影の位置決め等のためしばしば検診台の天板を移動させるが、上述のようにモニタ懸垂器が検診台の近傍に配置されていることが多い。そのため天板を移動させると、点滴台等天板側面のアクセサリレールに取り付けられた器具も一緒に移動し、モニタやモニタ懸垂器に衝突することがある。また点滴台等天板側面のアクセサリレールに取り付けられた器具がモニタの前に位置してモニタ画像の観察の邪魔になることもある。本考案はこれらの不都合を解消するためのものである。
【課題を解決するための手段】
【０００５】
請求項１記載の発明は上記の目的を達成するために、Ｘ線画像を観察するためのモニタを天井から懸垂して保持するモニタ懸垂器を有するＸ線透視撮影装置において、検査に必要な器具を保持する保持手段を前記モニタ懸垂器に設けたＸ線透視撮影装置を提供する。
【０００６】
請求項２記載の発明は上記の目的を達成するために、前記モニタ懸垂器はその側面にパイプ状のハンドルを備え、前記保持手段は前記ハンドルが内通可能な孔を有し、前記ハンドルに沿って移動可能な保持具と、前記保持具を前記ハンドルに対して着脱可能に固定する固定具により構成される請求項１記載のＸ線透視撮影装置を提供する。
【考案の効果】
【０００７】
本考案により、検査時に必要な器具が検診台の天板側面のアクセサリレールではなくモニタ懸垂器に取り付けられるので、天板を移動させてもそれらの器具がモニタやモニタ懸垂器に衝突する不都合が解消されるとともに、それらの器具がモニタの前に位置してモニタ画像の観察の邪魔をすることもなくなる。また天板側面のアクセサリレールに取り付けるものが減るので、被検者の天板への乗り降りがスムースに行えるようになるとともに、天板にかかる荷重が減少することにより、天板移動の操作を軽快に行うことができるようになる。
【考案を実施するための最良の形態】
【０００８】
本考案の実施例を図１および図２により説明する。ここで図１は例えば点滴台１等の検査時に必要な器具をモニタ懸垂器３に取り付けた状態を示す図であり、図２（ａ）は点滴台１の端部に取り付けられた点滴台保持金具１０の正面図、図２（ｂ）はその上面図である。Ｘ線透視撮影検査を行うとき被検者６は検診台８の天板７上に載置されるが、背景技術の項で天板７の両側面のアクセサリレール５に取り付けられていた、例えば点滴台１等の検査時に必要な器具は、本考案により、天井から移動可能に懸垂されモニタ２を保持するモニタ懸垂器３に取り付けられる。具体的には点滴台１の端部に取り付けられた点滴台保持金具１０の中央に設けられた孔１１に、モニタ懸垂器３に取り付けられ円管で構成されるハンドル４の上端部を貫通させた後、点滴台保持金具１０に設けられたネジ穴１２に固定ネジ９をねじ込むことにより、ハンドル４の適当な位置に点滴台１を固定する。なお孔１１はハンドル４の円管の外径よりわずかに長い直径を有している。
【０００９】
たとえば上述の方法で検査時に必要な器具をモニタ懸垂器３に取り付けることにより、検診台８の天板７を移動させても、それらの器具がモニタ２やモニタ懸垂器３に衝突する不都合が解消されるとともに、それらの器具がモニタ２の前に位置してモニタ画像の観察の邪魔をすることもなくなる。また天板７側面のアクセサリレール５に取り付ける器具が減るので、被検者６の天板７への乗り降りがスムースに行えるようになるとともに、天板７にかかる荷重が減少することにより、天板７の移動を軽快に行うことができるようになる。
【産業上の利用可能性】
【００１０】
本考案はＸ線透視撮影装置に関する。
【図面の簡単な説明】
【００１１】
【図１】本考案の実施例を説明するための図である。
【図２】点滴台保持金具の一例を示す図である。
【図３】Ｘ線透視撮影装置の構成例を示す図である。
【図４】検診台天板に点滴台を取り付けた従来例を説明するための図である。
【符号の説明】
【００１２】
１：点滴台
２：モニタ
３：モニタ懸垂器
４：ハンドル
５：アクセサリレール
６：被検者
７：天板
８：検診台
９：固定ネジ
１０：点滴台保持金具
１１：孔
１２：ネジ穴
２１：Ｘ線管
２２：Ｘ線検出器
２３：Ｃアーム保持装置
２４：術者
２５：フットスイッチ
【図１】
0003129823.tif 000003
【図２】
0003129823.tif 000004
【図３】
0003129823.tif 000005
【図４】
0003129823.tif 000006
(57)【要約】      （修正有）【課題】１つ以上のミラーの鏡像に追加した１つ以上のカメラレンズ像を集中監視して死角を失くす能力向上が計れる死角周囲監視システム付きフォークリフト車を提供する。【解決手段】周囲監視カメラ部２によるカメラレンズ像を追加した周囲監視システムＴＶ部１でＩＴＶを構成する集中監視により死角を失くす能力向上を計るコンテナ４を運ぶ死角周囲監視システム付きフォークリフト車。【選択図】図１
0003129827.tif 000002
【実用新案登録請求の範囲】
【請求項１】
ＩＴＶを周囲監視システムＴＶ部と周囲監視システムカメラ部に別けて設ける事に於いて運転手の死角を失くす交通事故防止手段を有する死角周囲監視システム付きフォークリフト車。
【考案の詳細な説明】
【技術分野】
【０００１】
本考案は、従来の死角周囲監視システムとしてのバック及びサイドミラー付きの死角周囲監視システム付きフォークリフト車に関する。
【背景技術】
【０００２】
バック及びサイドミラー付きの死角周囲監視システム付きフォーク車は、そのバック及びサイドミラーの数と取付位置とそれを回転するモータにより死角を失くしたものである。
【考案の開示】
【考案が解決しようとする課題】
【０００３】
しかしながら、バック及びサイドミラーの数と取付位置に発生する鏡像を監視する行為が死角を失くす能力に到らなかった。
【０００４】
本考案は上記実情に鑑みてなされたものであり、ミラーの鏡像に追加したレンズによるレンズ像を監視する行為で死角を失くす能力を向上することを目的としている。
【課題を解決するための手段】
【０００５】
上記目的を達成するため考案は、監視する行為の対象となる像を死角とならない位置に集中することであり、次の構成を含むことを特徴としている。ＩＴＶを一組以上の周囲監視システムＴＶと周囲監視システムカメラ部に別けて設けて集中監視するものである。
【考案の効果】
【０００６】
本考案により集中監視できるＩＴＶ画像により死角のないフォークリフト車の安全運転ができる。
【考案を実施するための最良の形態】
【０００７】
本考案の実施の形態の一例について、図面を参照しながら説明する。
死角周囲監視システム付きフォークリフト車は、図１に示すように、周囲監視システムＴＶ部１と周囲監視システムカメラ部２、それを有するフォークリフト車３と運ばれるコンテナ４である。
【図面の簡単な説明】
【０００８】
【図１】本考案の死角周囲監視システム付きフォークリフト車を示す図である。
【符号の説明】
【０００９】
１．周囲監視システムＴＶ部
２．周囲監視システムカメラ部
３.フォークリフト車
４．コンテナ
【図１】
0003129827.tif 000003
(57)【要約】【課題】  本考案は、シガーソケットに差込むだけでマイナスイオンの発生とバッテリーの電圧を安定させる機能を持つコンパクトで持ち運びのできる装置を提供するものである。【解決手段】  マイナスイオン発生回路にバッテリー電圧安定回路を組み込むことで、両方の機能を有したコンパクトな回路設計ができ、その回路を収納したケースを車内のシガーソケットに差込むだけで、マイナスイオンが発生して車内の空気を清浄化して疲労回復効果をもたらし、同時に、バッテリーに急な電圧不足が発生した場合は、すぐに充電電流を補い電圧を安定することができる。【選択図】図１
0003129531.tif 000002
【実用新案登録請求の範囲】
【請求項１】
車両用のマイナスイオン発生器であって、マイナスイオンの発生量の多い電気的マイナスイオン発生方式で、前記電気発生回路内にバッテリーの電圧を安定させるための電圧安定回路を装備した、シガーソケットに差込むだけで簡単に取付ができる車両用電圧安定装置付マイナスイオン発生器。
【考案の詳細な説明】
【考案の詳細な説明】
【技術分野】
【０００１】  本考案は、車両用のマイナスイオン発生器であって、バッテリーからの電圧を安定させるように電圧安定回路を装備したマイナスイオン発生器に関する。
【背景技術】
【０００２】  従来、空気を清浄化し除菌して疲労回復にも効果があるとされるマイナスイオンは、マイナスイオンを発生する物質を含んだ塗料の塗布やシールの張り付け、また、マイナスイオン発生装置を車両内に取り付けるなどして、マイナスイオンを発生させていた。【０００３】  しかしながら、マイナスイオンを発生する物質を含んだ塗料の塗布やシールの貼付けでのマイナスイオンの発生量は少なく、特に走行中の車両内では空気の入れ替わりも早く不利である。また、マイナスイオン発生量の多い電気的マイナスイオン発生装置を作動させるためには、電源としてソーラー方式や電池方式なども有るが、配線を必要とする場合は、バッテリーへの直接接続や、他の装置への配線に接続したり、シガーソケットにマイナスイオン発生装置本体とは別部品の電源プラグを差込んで電源を得るなどしていた。そこで、近年では配線の必要ない簡単に取付けや持ち運びのできるマイナスイオン発生装置と電源プラグが一体となった、直接シガーソケットに差込んで電源を得る方式のマイナスイオン発生装置も出回るようになってきた。
【考案が解決しようとする課題】
【０００４】  しかしながら、マイナスイオン発生機能だけのために車両に通常一基が標準のシガーソケットを使っている。
【０００５】  また、車両の発進時や加速時などエンジンの急激な負荷時にバッテリーの電圧が急に降下するなど電圧が不安定になる。そのためエンジンがパワー不足になるだけでなく、ナビゲーション装置の画像の乱れやオーディオ装置のノイズ発生といった悪影響への不満があった。
【課題を解決するための手段】
【０００６】  本考案は、マイナスイオン発生器の電気的マイナスイオン発生回路に電圧を安定させるコンデンサーを接続して電圧安定回路を設け、配線やスペースに無駄の無いようにマイナスイオン発生装置部と電圧安定装置部をコンパクトに一体ケース内に納め、シガーソケットに簡単に差込んで取付け取外しできるようにして、上記課題を解決する。
【実施例】
【０００７】  本考案の車両用マイナスイオン発生器は、図１に示すように回路図１０においてプラス端子１１とマイナス端子１２はトランス２４へ接続されていて、そのトランス２４はコンデンサー２３とダイオード２２、ネオンランプ２０、電極コイル２１が図のように接続され、ネオンランプ２０が放電することでマイナスイオンを発生させるように配置されている。【０００８】  また、図１の回路図１０において、プラス端子１１とマイナス端子１２に接続されたトランス２４への配線には、コンデンサー２９と抵抗２７、コンデンサー２６、抵抗２５、トランジスター２８ａ、トランジスター２８ｂが図のように接続され電流が流れることでコンデンサー２９に充電される。【０００９】  エンジンに急激な負荷が加わりバッテリーの電圧が降下した場合は、図１の回路図１０においてコンデンサー２９に充電されている充電電流を放電することでエンジンの点火やナビゲーション装置、オーディオ装置へ安定的に電流を供給することができる。【００１０】  次に、図２は本考案に係る電圧安定装置付マイナスイオン発生器の外観を示す斜視図である。ケース３０の内部に図１に示す回路図１０のように各部品を配線して収納し、バッテリーと接続される端子３１と３２が設けられている。【００１１】  また、図２に示すようにケース３０はシガーソケット差し込み部に入る細円柱部３３と外に露出する太円柱部３４で構成され、太円柱部３４の端末にはイオン通気孔３６が設けられた端末キャップ３５が取付けられ、なおかつ端末キャップ３５は半透明の材質で成形されていて、ネオンランプ２０の発光が視認できるようになっていて、電圧安定装置付マイナスイオン発生器の作動が確認できる。
【考案の効果】
【００１２】  以上のように、請求項１記載の考案によれば、車両用のマイナスイオン発生器であって、マイナスイオン発生量の多い電気的マイナスイオン発生方式を採用して前記マイナスイオン発生回路内へ電圧安定回路を追加することで、車両内のシガーソケットに差込むだけで簡単に取付け取外しができるコンパクトな電圧安定装置付マイナスイオン発生器を提供できる。
【図面の簡単な説明】
【図１】本考案に係わる車両用電圧安定装置付マイナスイオン発生器の回路図。
【図２】本考案に係わる車両用電圧安定装置付マイナスイオン発生器の外観斜視図。
【符号の説明】
１０・・・回路図
２０・・・ネオンランプ
２４・・・トランス
２９・・・コンデンサー
３０・・・ケース
３６・・・イオン通気孔
【図１】
0003129531.tif 000003
【図３】
0003129531.tif 000004
【手続補正書】
【提出日】平成18年11月9日(2006.11.9)
【手続補正１】
【補正対象書類名】図面
【補正対象項目名】全図
【補正方法】変更
【補正の内容】
【図１】
0003129531.tif 000005
【図２】
0003129531.tif 000006
(57)【要約】      （修正有）【課題】スポーツ用手袋の親指甲側に伸縮性のある発泡ゴムや織ゴムを縫着して親指のパワーを上げてゴルフクラブや野球バットあるいはテニスラケットをより強力に振れるようになしたスポーツ用手袋を提供する。【解決手段】手袋本体１の親指の甲部表側に伸縮性のある発泡ゴム３を縫着する。親指のパワーが上がるだけでなく、ゴルフクラブをグリップしたとき左手親指と右手の間の隙間がなくなり、密着感が増し、左手の右手の一体感があり、スウィングプレーンが安定し、ヘッドスピードが上がり、飛距離が伸びる。【選択図】図１
0003129533.tif 000002
【実用新案登録請求の範囲】
【請求項１】
手袋本体の親指の甲部の表側に伸縮性のある発泡ゴム（通称ネオプレインゴム）を親指の甲部が指先に向って伸縮するように縫着したスポーツ用手袋。
【請求項２】
手袋本体の親指の甲部の裏側に伸織性のある織ゴムを親指の甲部が指先に向って伸縮するように縫着したスポーツ用手袋。
【考案の詳細な説明】
【技術分野】
【０００１】    本考案は、ゴルフや野球あるいはテニスのプレーの際に着用するスポーツ用手袋に係り、手袋本体の親指の甲部に発泡ゴム（通称ネオプレインゴム）や織ゴムを縫着して、親指の甲側が指先に向って伸縮する手袋に関する。
【背景技術】
【０００２】    ゴルフや野球あるいはテニスのプレーの際には、天然皮革、人口皮革、あるいは合成皮革で作られた手袋を着用するがグリップ時の親指のパワーをゴルフクラブや、野球バット、テニスラケットにより強力に伝えることの出来る手袋が望ましい。
【考案の開示】
【考案が解決しようとする課題】
【０００３】  請求項１の考案は、手袋本体の親指の甲部の表側に伸縮性のある発泡ゴム（通称ネオプレインゴム）を親指の甲側が伸縮するように縫着し、発泡ゴムの伸縮力で親指のパワーを上げ、ゴルフクラブや野球バット、テニスラケットをより強力に振ることが出来るようにしたスポーツ用手袋を提供することを目的とするものである。【０００４】  請求項２の考案は手袋本体の親指の甲部の裏側に伸縮性のある織ゴムを親指の甲側が
請求項２の考案は手袋本体の親指の甲部の裏側に伸縮性のある織ゴムを親指の甲側が伸縮するように縫着し、織ゴムの伸縮力で親指のパワーを上げ、ゴルフクラブや野球バット、テニスラケットをより強力に振ることが出来るようにしたスポーツ用手袋を提供することを目的とするものである。
【課題を解決するための手段】
【０００５】  上記の目的を達成するための本考案の構成を詳述すれば、請求項１に係る考案は、手袋本体の親指の甲部の表側に伸縮性のある発泡ゴム（通称ネオプレインゴム）を親指の甲部が指先に向って伸縮するように縫着したことを特徴とするスポーツ用手袋である。【０００６】  請求項２に係る考案は手袋本体の親指の甲部の裏側に伸縮性のある織ゴムを親指の甲部が指先に向って伸縮するように縫着したことを特徴とするスポーツ用手袋である。
【考案の効果】
【０００７】    請求項１の考案によれば、手袋本体の親指の甲部の表側に伸縮性のある発泡ゴム（通称ネオプレインゴム）を親指の甲部が指先に向って伸縮するように縫着することにより、発泡ゴム（通称ネオプレインゴム）の持つ伸縮性により親指のパワーがより強力になりゴルフクラブ、野球バットあるいはテニスラケットをより強力に振ることが出来る。【０００８】  請求項２の考案によれば、手袋本体の親指の甲部の裏側に伸縮性のある織ゴムを親指の甲部が指先に向って伸縮するように縫着することにより、織ゴムの持つ伸縮性により親指のパワーがより強力になりゴルフクラブ、野球バットあるいはテニスラケットをより強力に振ることが出来る。【０００９】  ゴルフは通常右ききの人は左手に手袋をはめるが、請求項１の左手の親指の甲部の表側に発泡ゴム（通称ネオプレインゴム）を縫着することにより、グリップしたとき右手と左手親指との間のすきまがなくなり密着感が増し、左手と右手の一体感があり、スィングプレーンが安定し、ヘッドスピードが上がり飛距離が伸びる。
【実施例】
【００１０】    以下、本考案に係るスポーツ用手袋の具体的構成を図示の実施形態に基づいて詳細に説明する。【００１１】    図１は本考案の請求項１の親指の甲部の表側に伸縮性のある発泡ゴム（通称ネオプレインゴム）を縫着した実施形態を示すスポーツ用手袋甲部の平面図である。【００１２】    図２は本考案の請求項２の親指の甲部の裏側に伸縮性のある織ゴムをジグザグミシンで縫着した実施形態を示すスポーツ用手袋甲部の平面図である。【００１３】    図１−１、図２−１は天然皮革、人工皮革、合成皮革あるいはストレッチ機能を有する布綿を用いて作成されたスポーツ用手袋本体の甲部を示す。【００１４】    図１−２、図２−２は親指の甲部側を示す。【００１５】    図１−３は請求項１の親指の甲部の表側に伸縮性のある発泡ゴム（通称ネオプレインゴム）を縫着してある。【００１６】    図２−３は請求項２の親指の甲部の裏側に伸縮性のある織ゴムをジグザグミシンで縫着してある。【００１７】  図１−５は甲部側における手の挿入開口部であり、図１−４は当該開口部５の一側縁に縫着手段によって取り付けられた緊締ベルト片である。
緊締ベルト片４は多数の係着子を植設した面ファスナーＡで構成されており手袋本体の甲側図１−１に縫着されている他方の面ファスナーＢに係着させるためのものである。【００１８】  図２−５は手の挿入をしやすいように裾の側面の開口部である。
【図面の簡単な説明】
【００１９】
【図１】本考案の請求項１の親指の甲部の表側に伸縮性のある発泡ゴム（通称ネオプレインゴム）を縫着した実施形態を示すスポーツ用手袋甲部の平面図である。
【図２】本考案の請求項２の親指の甲部の裏側に伸縮性のある織ゴムをジグザグミシンで縫着した実施形態を示すスポーツ用手袋甲部の平面図である。
【符号の説明】
【００２０】１  手袋本体
２  手袋親指部
３  伸縮性のある発泡ゴムあるいは伸縮性のある織ゴム
４  緊締ベルト片
５  挿入開口部
【図１】
0003129533.tif 000003
【図２】
0003129533.tif 000004
【手続補正書】
【提出日】平成18年11月15日(2006.11.15)
【手続補正１】
【補正対象書類名】実用新案登録請求の範囲
【補正対象項目名】全文
【補正方法】変更
【補正の内容】
【実用新案登録請求の範囲】
【請求項１】
手袋本体の親指の甲部の表側に伸縮性のある発泡ゴムを親指の甲部が指先に向って伸縮するように縫着したスポーツ用手袋。
【請求項２】
手袋本体の親指の甲部の裏側に伸織性のある織ゴムを親指の甲部が指先に向って伸縮するように縫着したスポーツ用手袋。
(57)【要約】      （修正有）【課題】従来のパンツ型紙おむつの両側面に点線を入れたおむつを提供する。また、脱時には点線部分を切り離すことで片足を上げることなく簡単に脱ぐことが出来、また排泄物が足に付着することもなくなる紙おむつの提供。【解決手段】パンツ型紙おむつ側面の縫い目部分の脇（ウエストから足が出る部分まで）に切り込み（点線）を入れる。【選択図】図１
0003129523.tif 000002
【実用新案登録請求の範囲】
【請求項１】
紙おむつ両側面に点線を入れ、脱がせるときに点線部分を切り離して取るところを特徴とする紙オムツ
【考案の詳細な説明】
【技術分野】
【０００１】  本考案は、パンツ型紙オムツの両側面に点線を入れたものである
【背景技術】
【０００２】  パンツ型紙おむつは立ったまま着脱が出来るため便利だが、脱がせる時には片足ずつ足を上げさせるため、排泄物が足（ももの部分等）に付着したり足で踏んでしまったりしていた。
【考案の開示】
【考案が解決しようとする課題】
【０００３】  従来のパンツ型紙おむつは排泄物を足等に付けない様に脱がせるのが非常に困難である。従って脱時におむつの両サイドを切り離すことにより前述の欠点を解決しようとするものである。
【課題を解決するための手段】
【０００４】  本考案はおむつの両側面に点線を入れ、脱がせる時に点線部分を切り取り、おむつ自体をそのまま下におろすため簡単に脱がせることが出来る
【考案の効果】
【０００５】  前述の様に脱時に片足を上げることなく簡単に脱がせることが出来るのは勿論、点線で切り離すことによりおむつを「ストン」と下に下ろすことが出来るので排泄物が足に付着することもない。
【考案を実施するための最良の形態】
【０００６】  パンツ型かみおむつ側面の縫い目部分の脇（ウエストから足が出る部分まで）に切り込み（点線）を入れる
【実施例】
【０００７】  以下、添付図面に従って一実施例を説明する。脱時に２の点線を切り取る。同じ様に３も切り取る。そのままおむつを下へ降ろす。
【図面の簡単な説明】
【０００８】
【図１】  本考案のパンツ型紙おむつの正面図である。
【図２】  本おむつの側面図である。
【符号の説明】
【０００９】  １  おむつ本体
２  点線切り取り部分
３  点線切り取り部分
【図１】
0003129523.tif 000003
【図２】
0003129523.tif 000004
【手続補正書】
【提出日】平成18年11月2日(2006.11.2)
【手続補正１】
【補正対象書類名】実用新案登録請求の範囲
【補正対象項目名】全文
【補正方法】変更
【補正の内容】
【実用新案登録請求の範囲】
【請求項１】
紙おむつ両側面に切り込みを入れ、脱がせるときに切り込み部分を切り離して取るところを特徴とする紙オムツ
【手続補正２】
【補正対象書類名】明細書
【補正対象項目名】０００１
【補正方法】変更
【補正の内容】
【０００１】本考案は、パンツ型紙オムツの両側面に切り込みを入れたものである
【手続補正３】
【補正対象書類名】明細書
【補正対象項目名】０００４
【補正方法】変更
【補正の内容】
【０００４】本考案はおむつの両側面に切り込みを入れ、脱がせる時に切り込み部分を切り取り、おむつ自体をそのまま下におろすため簡単に脱がせることが出来る
【手続補正４】
【補正対象書類名】明細書
【補正対象項目名】０００５
【補正方法】変更
【補正の内容】
【０００５】前述の様に脱時に片足を上げることなく簡単に脱がせることが出来るのは勿論、切り込みで切り離すことによりおむつを「ストン」と下に下ろすことが出来るので排泄物が足に付着することもない。
(57)【要約】      （修正有）【課題】室内に居ながらにして室外の気温を知ることができる温度計を提供する。【解決手段】薄型で軽くできた温度計の表枠に剥離紙１を付けた粘着テープを設け、この剥離紙１を剥がして窓ガラス２の外側から室内に向けて貼り付けることを特徴とする温度計３。この温度計３を窓ガラス２に貼り付ける場合、粘着テープの他に、両面テープや接着剤を用いても良い。また、温度計３のみならず、湿度計や時計にしても、室内に居ながら湿度や時刻を知ることができる。【選択図】図１
0003129528.tif 000002
【実用新案登録請求の範囲】
【請求項１】
温度計に備えた粘着テープの剥離紙を剥がして、窓ガラスの外側から室内に向けて貼り付ける温度計。
【考案の詳細な説明】
【技術分野】
【０００１】  本考案は、室内に居ながらにして室外の気温を知ることができるようにするため、温度計に備えた粘着テープの剥離紙を剥がして、窓ガラスの外側から室内に向けて貼り付ける温度計である。
【背景技術】
【０００２】  従来の温度計は主に室内の気温を確認するだけであって、室外の気温を知るには温度計を屋外の適当な場所に置いた所へ直接行って、確認するしか手段がなかった。
【考案の開示】
【考案が解決しようとする課題】
【０００３】  一年を通じて、その都度、屋外の気温を知りたいとき、わざわざ窓を開けて外気を取り入れたり、又は外にまで出て行くなど、いずれも自身の体感で室外の気温を推測していた。あるいは、いつも注意深くマスメディアから伝達される天気予報の情報に頼っているしか方法がなかった。
【課題を解決するための手段】
【０００４】  本考案は、温度計に備えた粘着テープの剥離紙を剥がして、窓ガラスの外側から室内に向けて貼り付ける温度計である。
【考案の効果】
【０００５】  室内に居ながらにして室外の気温を知ることができることは、室内との温度差の状態によっては健康面に配慮してエアコンの設定温度を調節する場合もあるし、あるいは外出に先立って心積もりしていた着衣が変更する場合もある訳で、いずれの場合も事前にマスメディアから伝達される天気予報の情報よりも、この貼り付ける温度計による効果は直接的であって正確である。
【考案を実施するための最良の形態】
【０００６】  窓ガラスの外側から室内に向けて粘着テープの剥離紙を剥がしてから貼り付ける温度計は、室内に居ながらにして室外の気温を知ることができるものである。
【実施例】
【０００７】本考案の温度計は、窓ガラスに貼り付けるため、可能な限り薄型で軽いことが望ましい。【０００８】  この剥離紙の付いた粘着テープは、当然ながら計器面に支障しない温度計の外枠四隅に備え付けた。【０００９】  温度計を窓ガラスに貼り付ける場合、粘着テープの剥離紙を剥がす方法を採用したが、同様な手段として新たに両面テープを貼り付けする方法や接着剤を塗布する方法もあって、いずれも本考案と同様に可能である。【００１０】  広いフロアで多くの人が働くビル等の室内において、この貼り付ける温度計を活用しながらエアコンの設定温度を適切に管理すれば、経費の節減と健康の維持にもつながり一石二鳥と言える。【００１１】  温度計の選定については、アナログ方式又はデジタル方式のいずれの場合でも窓ガラスに貼り付けすることができれば、どんな種類の温度計であっても可能である。更に、温度計のみならず湿度計や時計にしても同様に可能である。
【図面の簡単な説明】
【００１２】
【図１】貼り付ける温度計の実施例を示す正面図である。
【符号の説明】
【００１３】  １  粘着テープの剥離紙
２  窓ガラス
３  温度計
【図１】
0003129528.tif 000003
【手続補正書】
【提出日】平成18年11月4日(2006.11.4)
【手続補正１】
【補正対象書類名】実用新案登録請求の範囲
【補正対象項目名】全文
【補正方法】変更
【補正の内容】
【実用新案登録請求の範囲】
【請求項１】
室内に居ながらにして室外の気温を知ることができるようにするため、薄型で軽くできた温度計の表枠に剥離紙を付けた粘着テープを設け、その剥離紙を剥がして窓ガラスの外側から室内に向けて貼り付けることを特徴とする温度計。
(57)【要約】      （修正有）【課題】剥離紙付き粘着チャックテープで個人が所有する口袋に自由に接着して開封性、再封性にも優れた剥離紙付き粘着チャックテープを提供する。【解決手段】個人が所有する様々な袋に自由にチャックテープ付き袋を作れること。また、チャックテープが焼却しても有毒ガスが発生しないポリエチレン製の粘着剤付きチャックテープを燃えるゴミ袋に接着して悪臭を遮断して設けられた袋を焼却できるチャックテープである。【選択図】図１
0003129529.tif 000002
【実用新案登録請求の範囲】
【請求項１】
チャックテープに、両面テープを設けたことを特徴とするチャックテープ。
【請求項２】
前記両面テープは、剥離紙付き粘着両面テープで、剥離紙を剥がすことにより、形状の異なる袋にチャックテープ付き袋にすることを特徴とする請求項１記載のチャックテープ。
【請求項３】
剥離紙付き粘着両面テープのチャックテープを重ね輪のすることで、口袋に応じた長さにカットして使用できることを特徴とするチャックテープ。
【考案の詳細な説明】
【技術分野】
【０００１】
この考案は、袋の口部の内面に剥離紙を剥がし、接着により取り付けられるチャックテープの形状に関する。
【特許文献１】特開２００４−１０６９２９（Ｐ２００４−１０６９２９Ａ)
【特許文献２】特開２００５−２３１６７７（Ｐ２００５−２３１６７７Ａ）
【特許文献３】特開２００２−５８７００（Ｐ２００２−５８７００Ａ）
【背景技術】
【０００２】
従来のチャックテープの形状は、図４と図５に示すように、単体で設けられたものである。それを複合して図２が設けられて、図１に示すように様々な口袋に取り付けられる。
【考案の開示】
【考案が解決しようとする課題】
【０００３】
しかしながら、以上の技術によれば、チャックテープ付き袋（特許文献２）は生産性よく提供されたが、個人が所有する袋に自由にチャックテープ付き袋を作ることができなかった。
そこで、この考案は、内容物の充填適正のほか、開封性及び再封性にも優れたチャックテープ付き袋を提供することを課題とする。
【課題を解決するための手段】
【０００４】
以上の課題を解決するために、第一考案は、個人が所有する様々な袋に自由にチャックテープ付き袋を作れることを特徴とするチャックテープである。
また、第二考案は、チャックテープが焼却しても有毒ガスが発生しないポリエチレン製の粘着剤付きチャックテープを燃えるゴミ袋に接着して悪臭を遮断して設けられた袋を焼却できることを特徴とするチャックテープである。
【考案の効果】
【０００５】
第一考案、または第二考案によれば、チャックテープに剥離紙付き粘着テープを設けたので、個人の所有する袋に自由に接着しやすい。
【考案を実施するための最良の形態】
【０００６】
この考案の一実施形態を、図１に示す。
図４のチャックテープに図５の両面テープが設けられている。図２の粘着付きチャックテープを個人が自由に接着できるように設けられている。
【実施例１】
【０００７】
この実施形態によれば、図２の粘着剤付きチャックテープの剥離紙を剥がすことにより、形状の異なる袋をチャックテープ付き袋ができる。内容物の充填適正のほか、開封性及び再封性にも優れたチャックテープ付き袋ができる。
【実施例２】
【０００８】
図１の実施形態では、内容物の充填適正のほか、開封性及び再封性にも優れ、他の実施形態では、図３の輪テープに設けたものでも良い。
【図面の簡単な説明】
【０００９】
【図１】この考案の一実施形態を示す斜視図である。
【図２】粘着剤付きチャックテープを示す斜視図である。
【図３】チャックテープを重ね輪で示す斜視図である。
【図４】従来技術を示す斜視図である。
【図５】従来技術を示す斜視図である。
【符号の説明】
【００１０】
１  切断後の口袋
２  粘着剤
３  剥離紙
【図１】
0003129529.tif 000003
【図２】
0003129529.tif 000004
【図３】
0003129529.tif 000005
【図４】
0003129529.tif 000006
【図５】
0003129529.tif 000007
【手続補正書】
【提出日】平成18年11月9日(2006.11.9)
【手続補正１】
【補正対象書類名】実用新案登録請求の範囲
【補正対象項目名】請求項２
【補正方法】変更
【補正の内容】
【請求項２】
前記両面テープは、剥離紙付き粘着両面テープで、その剥離紙を剥がして、市販の菓子などの袋を開封した後に、袋の中の菓子などが湿気らないように保存するため、その袋の内側に接着して取り付けて、それにより袋は、開封性及び再封性に優れたチャックテープの付いた袋になることを特徴とする請求項１に記載のチャックテープの付いた袋。
【手続補正２】
【補正対象書類名】実用新案登録請求の範囲
【補正対象項目名】請求項３
【補正方法】変更
【補正の内容】
【請求項３】
剥離紙付き粘着両面テープを設けたチャックテープを重ね輪にすることで、口袋に応じた長さにカットして使用できることを特徴とする請求項１に記載のチャックテープ。
(57)【要約】      （修正有）【課題】ゴルフクラブのヘッドカバーは従来、ゴルフクラブから脱着し易くできており、その用途は、クラブの保護材として限定されていた。しかしこれでは、ヘッドカバーを装着したままの素振りが、身体のウォーミングアップからスイングの技術向上に役立つにもかかわらず寄与できない状態になっている。【解決手段】そこで、カバーが素振りの遠心力で脱落しないように、クラブのネック（首）部分に本考案のバンドを鉢巻き状に括りカバーを装着したまま素振り練習が繰り返しできるようにした。又、カバーの脱着時は、バンドを緩めヘッド（頭）部分に巻いて脱着の自在性を確保した。【選択図】図２
0003129524.tif 000002
【実用新案登録請求の範囲】
【請求項１】
ゴルフクラブのヘッドカバーがクラブから素振り時にも脱落しないように、マジックテープ等からなるバンド状のものでハチマキ型に固定する装具。
【考案の詳細な説明】
【０００１】本考案は、ゴルフクラブのヘッドカバーの脱落防止具に関する。
【背景技術】
【０００２】従来のヘッドカバーは、クラブの損傷防止の為に作られており、カバーは、常に脱着し易くできている。
【考案の開示】
【考案が解決しようとする課題】
【０００３】しかしこれでは、クラブの保護目的のみに用途が限定されてしまい、ウォーミングアップ等に最適であるカバーを取り付けたままの素振りが繰り返しできない。
【課題を解決する為の手段】
【０００４】そこで、カバーが素振りの遠心力で脱落しないようにクラブのネック（首）部分に本考案のバンドを鉢巻き状に括り使用する。（図２）
【考案の効果】
【０００５】よって、ヘッドカバーを付けたままの素振りは、カバーの重さと空気抵抗により、
・身体のウォーミングアップ
・クラブの遠心力を感ずるスイングづくり。
・ヘッド部分の重さを感ずるスイングづくり。
・ゆっくりとしたリズムのスイングづくり。
・スイングプレーン（回転軌道）の確認。
等々、様々な効果が有り、現に「カバー飛ばし」と言う素振りの練習方法もあるが、本考案のバンドによりカバーが飛んでしまう不便さ、続けてスイングできない不便さを解消し、安全かつ容易で効果的な練習が繰り返しできる。
【考案を実施する為の最良の形態】
【０００６】本考案に係るヘッドカバー脱落防止バンドは、ヘッドカバーと接合させる為、安全ピンや縫い合わせ等により固定する。（図２）
バンドは、中間部に伸縮性を有するゴム材と、先端部にバンドの径を固定する為のマジックテープ材を備えており、各種のヘッドカバーの径に適合できる形態となっている。
【図面の簡単な説明】
【０００７】
【図１】本考案に係る脱落防止バンドの全体図である。
【図２】バンドを締め付けた脱落防止状態の実用図である。
【図３】バンドを緩めて、カバーの脱着を自在にした状態の実用図である。
【符号の説明】
【０００８】▲Ａ▼    ヘッドカバーとの接合部
▲Ｂ▼    ゴム材部
▲Ｃ▼    マジックテープ材部
▲Ｄ▼    布材部
▲ア▼    ヘッドカバー
▲イ▼    本考案の脱落防止ベルト
【図１】
0003129524.tif 000003
【図２】
0003129524.tif 000004
【図３】
0003129524.tif 000005
【手続補正書】
【提出日】平成18年11月9日(2006.11.9)
【手続補正１】
【補正対象書類名】実用新案登録請求の範囲
【補正対象項目名】全文
【補正方法】変更
【補正の内容】
【実用新案登録請求の範囲】
【請求項１】
バンド中央部にヘッドカバーとの接合スペースを設け、その両側に伸縮性を有するゴム材の帯を設け、更にその両側先端部にマジックテープ（登録商標）（以下同じ）を備えたゴルフクラブのヘッドカバー脱落防止用バンド。
【手続補正２】
【補正対象書類名】明細書
【補正対象項目名】０００８
【補正方法】変更
【補正の内容】
【０００８】  ▲Ａ▼ヘッドカバーとの接合部
▲Ｂ▼ゴム材部
▲Ｃ▼マジックテープ（登録商標）材部
▲Ｄ▼布材部
▲ア▼ヘッドカバー
▲イ▼本考案の脱落防止ベルト
(57)【要約】      （修正有）【課題】現存する製品は固定式の為高さ調整が出来ず、子供などの進入阻止のためには高すぎる場合があり、簡単に高さ調節が可能な構造品を提供する。【解決手段】ポール部分を上柱３と下柱１より構成し、必要な時に上柱をある高さに引き出した時にのみロック位置を設定し留め具２にて係止する。【選択図】図１
0003129530.tif 000002
【実用新案登録請求の範囲】
【請求項１】
ポール部分を上柱と下柱より構成し、必要な時に上柱をある高さに引き出して係止して人の誘導や立ち入り禁止場所等の進入を制限する防護柵とする。
【考案の詳細な説明】
【技術分野】
【０００１】  本考案は、ポールの高さを簡単に調節する事が出来るポールである。
【背景技術】
【０００２】  例えば複数本のポールを設置した場合、伸縮するタイプのポールの場合には全てのポールの高さを一定の高さに調節する場合には高さ調整に時間と労力がかかってしまう。
【考案の開示】
【考案が解決しようとする課題】
【０００３】従ってポールの位置を一定の高さに調節する場合には違う高さの物を数種類用意しなければならないか、若しくは伸縮するポールを用意した場合には物差し等を利用して一台一台の高さを確認しながら設置しなければならない。
【課題を解決するための手段】
【０００４】  ところが一定の高さポールを何本も用意する事は不経済であり、保管スペースも多く確保しなければならない。
【考案の効果】
【０００５】  そこで、本考案は上記課題を解決し簡単に高さ調節が可能な構造品を提供することを目的とする。
【考案を実施するための最良の形態】
【０００６】  本考案は人の誘導や立ち入り場所制限等の案内に使用するポールの高さ調節が可能な構造品とするものであり、ポール部分を上柱と下柱より構成し、必要な時に上柱をある高さに引き出して係止して必要に応じ高くする場合のみロック位置を設定し、高さ設定を簡便にする物である。
【実施例】
【０００７】（図１）本考案となる実施例を示す。
【図面の簡単な説明】
【０００８】
【図１】本考案の実施例による全体図である。
【図２】使用例を示す図である。
【図３】組み合わせ例を示す図である。
【符号の説明】
【０００９】１  ポール下部
２  留め具
３  ポール上部
【図１】
0003129530.tif 000003
【図２】
0003129530.tif 000004
【図３】
0003129530.tif 000005
【手続補正書】
【提出日】平成18年11月13日(2006.11.13)
【手続補正１】
【補正対象書類名】実用新案登録請求の範囲
【補正対象項目名】全文
【補正方法】変更
【補正の内容】
【実用新案登録請求の範囲】
【請求項１】
パイプ状の外側ポールに内側ポールを摺動可能に挿入した高さ調整可能な伸縮ポールにおいて、外側ポールに留め具を設けて、ポール高を固定する事を特長とする伸縮ポール。
(57)【要約】      （修正有）【課題】人が前面を見る状態でくつろぐとき背中部から頭部にかけてやや上げた状態に保つことができる角度のクッション具を提供する。【解決手段】枕部２を持った下台１の上に段板３を角度を持たせて固定する。粒突起５と固定突起６を持った筒クッション４を段板３の受け穴７に固定突起６をはめ込み固定する。くつろぎながらテレビなど前面を見たい場合枕部２に頭を乗せ背中部を段板３上の筒クッション４にあて使用する。【選択図】図１
0003129560.tif 000002
【実用新案登録請求の範囲】
【請求項１】
角度を持たせた段板に筒クッションを乗せこれを一体として使用することを特徴とする角度クッション具。
【考案の詳細な説明】
【技術分野】
【０００１】本考案は人がくつろぐときの背中部から頭部をやや上げた状態に保つ角度クッション具である。
【背景技術】
【０００２】体をやや上げた状態にするには厚みのクッションを使ったりまた幾つか重ねたり折ったりして使用している。
【考案が解決しようとする課題】
【０００３】普通クッションを一つだけ使用した場合必要な角度はなかなか得られず重ねたり折ったりの使用は安定しにくい。
【課題を解決するための手段】
【０００４】枕部（２）を持ったＬ型の下台（１）に段板（３）を取り付けこの段の間ごとに筒クッション（４）を取り付ける。
【考案の効果】
【０００５】段板（３）に角度を持たせてＬ型下台（１）に渡すことで適度な強さと弾力性が出る。筒クッション（４）は体を支えながらクッションごとの隙間で滑りにくくこの両方を一体として使うので効果的である。
【考案を実施するための最良の形態】
【０００６】枕部（２）を持った下台（１）の上に段板（３）を角度を持たせて固定する。粒突起（５）と固定突起（６）を持った筒クッション（４）を段板（３）の受け穴（７）に固定突起（６）をはめ込み固定する。
【実施例】
【０００７】くつろぎながらテレビなど前面を見たい場合枕部（２）に頭を乗せ背中部を段板（３）上の筒クッション（４）にあて使用する。
【図面の簡単な説明】
【０００８】
【図１】本考案の構造図
【図２】本考案の使用状態図
【符号の説明】
【０００９】１．    下台
２．    枕部
３．    段板
４．    筒クッション
５．    粒突起
６．    固定突起
７．    止め穴
【図１】
0003129560.tif 000003
【図２】
0003129560.tif 000004
(57)【要約】      （修正有）【課題】精密作業の精度が向上される為に発熱部先端に可及的に近い位置にグリップを設置する。【解決手段】グリップを握った指が発熱体に触れて火傷を負うことを防止するためと発熱体４からの輻射熱を遮るためにグリップ１上部にグリップより巾の広いプレート２を設置した。このプレートを発熱体最後部迄延長して発熱体を固定した。発熱体とプレートの間隔は発熱体の出力によって異なるが可及的にせまい方が良い。【選択図】図２
0003129554.tif 000002
【実用新案登録請求の範囲】
【請求項１】
電気式ハンダコテを用いて精密な作業を可能にするために発熱部先端至近にグリップが設定されたハンダゴテ。
【考案の詳細な説明】
【技術分野】
【０００１】  本考案は電気式ハンダコテにおいて発熱部先端至近にグリップを設置すものである。
【拝啓技術】
【０００２】  従来のハンダコテは発熱部とグリップで構成された発熱部先端とグリップは一定の距離がある。
【考案の開示】
【考案が解決しようとする課題】
【０００３】  電気式ハンダコテは高温の発熱部先端を使って主としてハンダ付けや先端の形状を変えて樹脂板の加熱溶断等に使用される。しかしグリップは直接手で握る為に発熱の及ばない部位、つまり発熱部先端より一定の距離を置いた部位、に設置されている。グリップの形態は発熱部の延長線上に位置する棒状の形態、または発熱部最後部より一定の角度を持ったカギの手状のものなどがあるがそのいずれものが発熱部先端と一定の距離が生じるので精密作業が要求される場合その精度が低下する。本考案は精密作業の精度が向上される為に発熱部先端に可及的に近い位置にグリップを設置することで問題点を解決しようとするものである。
【課題を解決するための手段】
【０００４】  本考案は発熱部先端直下にカギの手状のグリップを設置する事で解決している。
【考案の効果】
【０００５】  発熱部先端そのものを保持したのに近い効果が得られる。
【考案を実施するための最良の形態】
【０００６】  グリップを握った指が発熱体に触れて火傷を負うことを防止するためと発熱体からの輻射熱を遮るためにグリップ上部にグリップより巾の広いプレートを設置した。このプレートを発熱体最後部迄延長して発熱体を固定した。発熱体とプレートの間隔は発熱体の出力よって異なるが可及的にせまい方が良い。
【実施例１】
【０００７】以下添付図面に従って実施例を説明する。
（図１）はグリップ１にプレート２を取り付けたものである。（図２）はプレートのグリップから最もはなれた部位に電気式ハンダコテの発熱部とグリップとの接点近くを固定した図である。この状態でコテ先が作業面に向く形でグリップ１を握ればコテ先を保持した形に近い作業が可能となり本考案の目的が達せられる。
グリップとプレートを一体成形することも可能である。
【図面の簡単な説明】
【０００８】
【図１】グリップとプレートを一体にした見取り図である。
【図２】（図１）に電気式ハンダコテを取り付けた見取り図である。
【符号の説明】
【０００９】１．グリップ
２．プレート
３．コテ先
４．発熱部
５．コテと一体のグリップ
６．電気コード
【図１】
0003129554.tif 000003
【図２】
0003129554.tif 000004
(57)【要約】      （修正有）【課題】男性用丸首シャツを脱ぎ易くする。【解決手段】正面から見て左、又は右側にずれた位置に、前開きの開口部１を設け、その開口部１にその開閉を可能にする雄雌ファスナー２、３を取り付け、雄又は雌ファスナーの裏側に両ファスナー２、３が肌に直接触れないようにする、布４を取り付けた男性用丸首シャツ。【選択図】図２
0003129552.tif 000002
【実用新案登録請求の範囲】
【請求項１】
正面からみて、左、又は右側にずれた位置に前開きの開口部を設け、その開口部にその開閉を可能にする、雄雌ファスナーを取り付け、雄又は雌ファスナーの裏側に両ファスナーが肌に直接触れないようにする布を取り付けたことを特徴とする、男性用丸首シャツ。
【考案の詳細な説明】
【技術分野】
【０００１】  本考案は、男性用丸首シャツに関するものである。
【背景技術】
【０００２】  従来の男性用丸首シャツは、図１に示すように頭からかぶる形状のものしかなかつた。
【考案の開示】
【考案が解決しようとする課題】
【０００３】  従来の男性用丸首シャツは、夏の暑い時、肌にピッタリとくっついてしまい、健常者でも脱ぎにくかった。腕の不自由な方は特に不便さを感じていた。髪も乱れる。
脱ぎ易くするために、ファスナーをシャツの前側の中心に付けると、ワイシャツの首からファスナーが見えてしまう。また、ファスナーが直接肌にあたって痛いという難点があった。本考案は上記の課題を解決するためになされたものである。
【課題を解決するための手段】
【０００４】  本考案が提供する男性用丸首シャツは、正面から見て中心より左、又は右側にずれた位置に前開きの開口部を設け、その開口部にその開閉を可能にする雄雌のファスナーを取り付け、雄雌のファスナーの裏側に両ファスナーが肌に直接触れないようにする布を取り付けたことを特徴とするものである。
【考案の効果】
【０００５】  本考案によれば、上述のような構成としたので、ワイシャツを着て外部から見たときに、ファスナーが見えない。
開口部が全開できるため、健常者は勿論、腕の不自由な方にも脱着が楽になる。又、髪も乱れない。
ファスナーの裏に布を付けたので、ファスナーが肌に直接触れるおそれがない。
【考案を実施するための最良の形態】
【０００６】  以下、本考案の実施の形態を実施例によって、図１，２を参照しながら説明をする。
【実施例】
【０００７】  図１は、実施例のシャツの正面図である。図２は、図１の要部拡大図である。
図において、▲１▼は正面から見て左側にずれた位置に設けた、前開きの開口部である。
▲２▼、▲３▼は前記の開口部▲１▼の左右、それぞれに取り付けた雄雌のファスナーである。
雄雌ファスナー▲２▼、▲３▼の裏側にテープ状の布▲４▼を取り付けている。この布▲４▼は雄雌ファスナー▲２▼、▲３▼が直接肌にふれるのを防止するためのものである。
実施例のシャツは上記のような構成となっているので、シャツを着て外部から見た場合、開口部が見えない。開口部▲１▼を全開できるため、健常者は勿論、腕の不自由な方も脱着が楽になる。
ファスナー▲２▼、▲３▼の裏に布▲４▼を取り付けているので、ファスナーが肌に直接触れる恐れがない。
【図面の簡単な説明】
【０００８】
【図１】実施例の男性用丸首シャツの正面図。
【図２】図１のＡ部の拡大構成図。
【符号の説明】
▲１▼  開口部
▲２▼  雄ファスナー
▲３▼  雌ファスナー
▲４▼  布
【図１】
0003129552.tif 000003
【図２】
0003129552.tif 000004